(57)【特許請求の範囲】
【請求項１】
電子フルートの管部に支持されたベースと、
前記電子フルートの管部に支持され、吹奏時に演奏者の下唇付近の部分と当接し、前記下唇付近の部分からの圧力に応じて前記ベース側に移動する可動式のリッププレートと、
前記ベースから引き離す方向に前記リッププレートを付勢する付勢手段と、
前記リッププレートの前記ベース側への移動を検出して、前記演奏者の下顎の動きを示す制御信号を発生する信号発生手段と
を具備することを特徴とする電子フルートの下顎動作検出装置。
【請求項２】
前記ベースにおける前記リッププレートとの対向面に感圧素子が支持され、
前記リッププレートにおける前記感圧素子と対向する位置に、前記リッププレートが前記ベース側に所定量だけ移動したときに前記感圧素子と当接する押圧部が設けられ、
前記信号発生手段は、前記感圧素子から前記制御信号を取り出すことを特徴とする請求項１に記載の電子フルートの下顎動作検出装置。
【請求項３】
前記ベースにおける前記リッププレートとの対向面に感圧素子が支持され、
前記リッププレートと前記感圧素子との間に、前記付勢手段としての役割を果たすとともに前記リッププレートへの圧力を前記感圧素子に伝える圧力伝達手段としての役割を果たす部材であって、前記リッププレートを介して与えられる圧力に応じて変形し、その圧力を吸収し、変形が限度に達した場合には前記リッププレートへの圧力の大部分を前記感圧素子に伝える非線形な弾性特性を持った弾性部材が介挿入され、
前記信号発生手段は、前記感圧素子から前記制御信号を取り出すことを特徴とする請求項１に記載の電子フルートの下顎動作検出装置。
【請求項４】
前記リッププレートと前記ベースとの間に、前記付勢手段としての役割を果たすとともに、前記リッププレートの前記ベース側への移動量が閾値を越えた場合にＯＦＦからＯＮに切り換わるスイッチであって、ＯＦＦからＯＮに切り換わるときに前記リッププレートを介して前記演奏者にクリック感を与えるスイッチが介挿され、
前記信号発生手段は、前記スイッチのＯＮ／ＯＦＦ状態に基づき前記制御信号を出力することを特徴とする請求項１に記載の電子フルートの下顎動作検出装置。
【発明の詳細な説明】
【技術分野】
【０００１】
この発明は、電子フルート等の電子管楽器に係り、特に演奏者がオクターブ切り替えを目的として行う下顎の動きを検出する下顎動作検出装置に関する。
【背景技術】
【０００２】
周知のように、電子管楽器は、自然管楽器を模した呼気吹入口と演奏用キーの両操作子を備え、呼気吹入口から呼気が吹入されると、演奏用キーの押下の組み合わせである運指に応じてピッチを特定し、そのピッチで呼気吹入口の呼気圧に応じた音量の吹奏音を合成して放音するようになっている。ここで、「共振モード変更」と呼ばれる自然管楽器に特有の奏法を検出し、その奏法に従った吹奏音を電子的に再現できるような電子管楽器の実現が従来より試みられてきた。「共振モード変更」は、フルートのようなオクターブを切替えるための演奏用キーを備えない楽器において、運指を固定したまま吹奏音のオクターブ等をコントロールする奏法を意味し、「オーバーブロー」、「オクターブ切替え」、「リップスラー」などともいう。特許文献１には、共振モード変更を精緻に検出し得る電子管楽器の開示がある。この文献に開示された電子管楽器は、呼気吹入口内に離散的に設置した複数の呼気圧検出センサを通じて呼気の吹入の向きを検出する。そして、検出した向きに応じて現在の共振モードを特定した後、その共振モードに従ったピッチの楽音信号の出力を音源へ指示するようになっている。
【特許文献１】特開平０７−１９９９１９号公報
【発明の開示】
【発明が解決しようとする課題】
【０００３】
ところで、自然楽器であるフルート等の演奏者の中には、オクターブ切り換えを行うときに下顎を微妙に動かす演奏者が多い。従って、特許文献１に開示されているように呼気の吹入の向きを検出して共振モードの切り換えの制御を行うよりは、むしろ下顎の微妙な動きを検出してオクターブ切り換えを行うのが演奏者の意思に沿うと考えられる。そこで、電子管楽器の呼気吹入口付近に演奏者の下唇付近の部分と当接する可動式のリッププレートを設けると共にこのリッププレートに感圧素子を接触させ、感圧素子の出力信号に基づいて、演奏者の下顎の動きを検出し、オクターブ切り換えの制御に用いる構成が有効であると考えられる。しかし、このようにリッププレートに感圧素子が接触した構成を採った場合、常に下唇付近からリッププレートに加わる圧力がそのまま感圧素子に伝達され、感圧素子がこの圧力に反応する。そして、演奏者は、自分の下唇付近の部分が感圧素子にどの程度の圧力を与えているかを感じ取ることが困難であるため、下顎を動かすことによるオクターブ切り換えの操作が困難であるという問題がある。
【０００４】
この発明は、以上説明した事情に鑑みてなされたものであり、演奏者が下顎を動かしてオクターブ切り換えの指示を行う操作を容易にすることができる電子フルートの下顎動作検出装置を提供することを目的とする。
【課題を解決するための手段】
【０００５】
この発明は、電子フルートの管部に支持されたベースと、前記電子フルートの管部に支持され、吹奏時に演奏者の下唇付近の部分と当接し、前記下唇付近の部分からの圧力に応じて前記ベース側に移動する可動式のリッププレートと、前記ベースから引き離す方向に前記リッププレートを付勢する付勢手段と、前記リッププレートの前記ベース側への移動を検出して、前記演奏者の下顎の動きを示す制御信号を発生する信号発生手段とを具備することを特徴とする電子フルートの下顎動作検出装置を提供する。
かかる発明によれば、演奏者がリッププレート側からの反発力（すなわち、付勢手段による付勢力）を感じつつ、下顎を動かして下唇付近の部分によりリッププレートをベース側に移動させると、その移動が検出され、下顎の動きを示す制御信号が出力される。従って、この制御信号をオクターブ切り換えの制御に用いた場合には、演奏者は、下顎をどの程度動かせばオクターブ切り換えが行われるかを容易に把握することができ、下顎を動かすことによるオクターブ切り換えの指示操作を容易に行うことができる。
【発明を実施するための最良の形態】
【０００６】
以下、図面を参照し、この発明の実施の形態を説明する。
＜第１実施形態＞
図１は、この発明の第１実施形態である下顎動作検出装置１５０を含む吹奏ユニット１００の構成を示す斜視図である。また、図２は図１に示す下顎動作検出装置１５０のＩ−Ｉ’線における断面構造を示す図である。なお、図２には、下顎動作検出装置１５０の理解を容易にするため、演奏者の下顎付近の部分が吹奏ユニット１００とともに図示されている。また、図２には、吹奏検出装置１１０も図示されているが、図面が煩雑になるのを防ぐため、吹奏検出装置１１０については透視図が示されている。
【０００７】
図１に示すように、電子フルートの頭管１には、その管軸方向に所定間隔を空けて２枚のフランジ２Ａおよび２Ｂが固定されている。吹奏ユニット１００は、回動軸１０１を有しており、この回動軸１０１は、頭管１の管軸と平行な向きで、このフランジ２Ａおよび２Ｂの各々に設けられた軸受け（図１ではフランジ２Ａの軸受け２１のみが図示されている）に軸支されている。このような構成としたため、本実施形態における吹奏ユニット１００は、ある程度の力を加えることにより回動軸１０１廻りに回動させることが可能である。なお、吹奏ユニット１００は、回動しないように、フランジ２Ａおよび２Ｂ間に固定してもよい。
【０００８】
吹奏ユニット１００は、大別して、吹奏検出装置１１０と、下顎動作検出装置１５０と、これらの吹奏検出装置１１０および下顎動作検出装置１５０を頭管１の管軸方向両側から挟んで固定する側板部１９０Ａおよび１９０Ｂとにより構成されている。
【０００９】
吹奏検出装置１１０の上部には、演奏者の上唇までの距離を測定する上唇近接センサ１１１が設けられている。この上唇近接センサ１１１は、例えば赤外線リフレクタ等により構成されている。また、吹奏検出装置１１０において、演奏者の口と対向する前面部分には、コーン状のジェットコレクタ１１２が設けられている（図２参照）。このジェットコレクタ１１２は、演奏者の口から吹き込まれる呼気を集め、吹奏検出装置１１０の内部に設けられたジェット流量センサ１１３へと導く役割を果たす。このジェット流量センサ１１３は圧力センサである。
【００１０】
図２に示すように、下顎動作検出装置１５０は、軸受けベース１６０と、可動式のリッププレートであるリッププレート上部１７０と、リッププレート下部１８０とを有する。ここで、軸受けベース１６０は、その管軸方向両側において側板部１９０Ａおよび１９０Ｂ（図１参照）に固定されている。軸受けベース１６０は、吹奏時に斜め上方にある演奏者の口と対面する平面部を有しており、この平面部にシート状の感圧抵抗１６２が固定されている。
【００１１】
本実施形態における下顎動作検出装置１５０は、リッププレート上部１７０およびリッププレート下部１８０の取り付けおよび取り外しが可能な構成となっている。図１および図２には、リッププレート上部１７０およびリッププレート下部１８０が取り付けられた状態の下顎動作検出装置１５０が図示されている。
【００１２】
リッププレート上部１７０は、吹奏時において演奏者の口のある方向に出っ張ったリップ当接面１７１Ｓを有するリップ当接部１７１と、このリップ当接部１７１から突き出した板部１７２と、この板部１７２の端部に形成された円柱状の回動軸１７３とからなる。リッププレート上部１７０において、リップ当接面１７１Ｓとは反対側の面は、所定間隔を空けて感圧抵抗１６２と対向しており、この面には感圧抵抗１６２側に突出した押圧部１７４が設けられている。この押圧部１７４は、例えばゴム等のような弾性材料により構成されている。リッププレート上部１７０が演奏者の下唇付近の部分によって押されていない状態では、押圧部１７４は、感圧抵抗１６２から離れている。
【００１３】
リッププレート下部１８０は、表面が緩やかに外側に膨らむように湾曲した部材であり、その裏面には、リッププレート上部１７０の回動軸１７３を収容する凹部１８１が形成されている。上述した軸受けベース１６０にも、回動軸１７３を収容する凹部１６３が形成されている。リッププレート下部１８０の凹部１８１は、この軸受けベース１６０の凹部１６３とともに軸受け用の孔を形成し、この軸受け用の孔は、リッププレート上部１７０の回動軸１７３を回動自在に支持する。この軸受け用の孔に回動軸１７３を支持されたリッププレート上部１７０は、リップ当接面１７１Ｓが演奏者の下唇付近の部分によって押されることにより感圧抵抗１６２側に回動する。この回動により、押圧部１７４の頂上面は、最大限、感圧抵抗１６２の表面まで移動する。このようにリッププレート上部１７０の回動により押圧部１７４の頂上面が感圧抵抗１６２に到達したときに押圧部１７４の頂上面が感圧抵抗１６２の表面と面接触するように、押圧部１７４の頂上面は、リッププレート上部１７０の感圧抵抗１６２との対向面に対してやや斜めに傾いている。
【００１４】
軸受けベース１６０において感圧抵抗１６２が配置されていない余白の部分には、永久磁石３０１が固定されている。また、リッププレート上部１７０におけるリップ当接面１７１Ｓの反対側の面には、永久磁石３０１と対向する位置に永久磁石３０２が固定されている。これらの永久磁石３０１および３０２は、互いのＮ極同士またはＳ極同士を対向させ、反発し合っており、その反発力は、リッププレート上部１７０を感圧抵抗１６２から引き離す方向に付勢する付勢力として働く。
【００１５】
次に、図１および図２に加えて、図３（ａ）および（ｂ）を参照し、本実施形態による下顎動作検出装置１５０の特徴をさらに具体的に説明する。ここで、図３（ａ）は、本実施形態において、仮に付勢手段たる永久磁石３０１および３０２を設けず、押圧部１７４を感圧抵抗１６２に常時接触させる構成とした場合におけるリッププレート上部１７０への圧力と後述するリップ圧センサの出力電圧との関係を示す図である。ここで、リップ圧センサは、感圧抵抗１６２に流れる電流に基づいて、演奏者の下顎の動きを示す制御信号を出力するセンサである。また、図３（ｂ）は、本実施形態におけるリッププレート上部１７０への圧力とリップ圧センサの出力電圧との関係を示す図である。
【００１６】
演奏者は、オクターブ切り換えを行おうとするとき、図２に示すように、下顎を前後方向に微妙に動かす。ここで、演奏者が下唇付近の部分をリップ当接部１７１Ｓに当接させて、下顎を前方に移動させると、リッププレート上部１７０を感圧抵抗１６２側に移動させる方向のトルクが演奏者の下唇付近の部分からリッププレート上部１７０に与えられる。ここで、付勢手段たる永久磁石３０１および３０２がなく、押圧部１７４が感圧抵抗１６２に常時接触していると、リッププレート上部１７０に与えられる圧力は、そのまま感圧抵抗１６２に伝達される。このため、図３（ａ）に示すように、リッププレート上部１７０に与えられる圧力に比例した電圧値の制御信号がリップ圧センサから出力される。これでは、下顎の僅かな動きにより、リップ圧センサの出力信号値がオクターブ切り換えの指示を発生させるか否かの基準レベルである閾値を越えるため、オクターブ切り換えの指示のための操作が演奏者にとって困難であるという問題が発生する。しかし、本実施形態では、以下説明するように、この問題が解決される。
【００１７】
まず、本実施形態においてリッププレート上部１７０には、永久磁石３０１および３０２により、感圧抵抗１６２から引き離す方向の付勢力が与えられる。そして、演奏者によってこの付勢力に打ち勝つ圧力が与えられたときに、リッププレート上部１７０は感圧抵抗１６２側に移動してゆく。その際、リッププレート上部１７０が感圧抵抗１６２側に進むにつれて、永久磁石３０１および３０２間の距離が短くなるため、感圧抵抗１６２から引き離す方向の付勢力は強くなってゆく。しかし、押圧部１７４が感圧抵抗１６２から離れた状態では、感圧抵抗１６２に伝達される圧力は０である。従って、図３（ｂ）に示すように、リッププレート上部１７０に圧力が加わっても、その圧力が小さくて、押圧部１７４が感圧抵抗１６２から離れている期間は、リップ圧センサの出力電圧は０Ｖである。
【００１８】
そして、リッププレート上部１７０への圧力がある値に達すると、リッププレート上部１７０に設けられた押圧部１７４が感圧抵抗１６２に到達し、以後、リッププレート上部１７０の移動が止まる。これにより、リッププレート上部１７０に与えられる圧力が押圧部１７４を介して感圧抵抗１６２に伝達されるようになり、図３（ｂ）に示すように、リッププレート上部１７０に与えられる圧力の増加に応じてリップ圧センサの出力電圧値が増加する。なお、図３（ｂ）において、破線は図３（ａ）に示す特性を表している。
以上が本実施形態における吹奏ユニット１００の構成の詳細である。
【００１９】
図４は本実施形態における電子フルートの電気的構成を示すブロック図である。図４において、複数の演奏用キーセンサ２０１は、電子フルートの主管部および足管部に設けられた演奏用キー（図示略）の状態を各々検出するセンサである。これらの演奏用キーセンサ２０１により、演奏用キーの各々がＯＮ状態（演奏用キーが押下されており、主管部または足管部のトーンホールを塞いだ状態）であるかＯＦＦ状態（演奏用キーが押下されておらず、トーンホールが開いた状態）であるかを示す運指パターンが発生され、制御部２１０に供給される。
【００２０】
リップ圧センサ１６２Ｓは、図２における感圧抵抗１６２に流れる電流に比例した電圧を発生し、演奏者の下顎の動きを示す制御信号（アナログ信号）として出力する信号発生手段である。ジェット流量センサ１１３および上唇近接センサ１１１については、図１および図２を参照して説明した通りである。
【００２１】
Ａ／Ｄ変換器２０２、２０３および２０４は、リップ圧センサ１６２Ｓ、ジェット流量センサ１１３および上唇近接センサ１１１から出力される各アナログ信号のＡ／Ｄ変換を行い、デジタル形式のリップ圧信号、呼気流量信号および対上唇間距離信号を制御部２１０に出力する。
【００２２】
制御部２１０は、後段のＭＩＤＩ音源２２０等、この電子フルートの各部の制御を行う装置であり、例えばＣＰＵと、ＣＰＵによってワークエリアとして使用されるＲＡＭと、ＣＰＵにより実行される各種のプログラムやＣＰＵによって参照される各種のテーブルを記憶したＲＯＭにより構成されている（いずれも図示略）。図４には、制御部２１０のＣＰＵがＲＯＭ内のプログラムに従って実行する各種の処理が図示されている。
【００２３】
制御部２１０により実行される処理は、ノートナンバ、エクスプレッション値、ブレスコントロール値等、ＭＩＤＩ音源２２０を制御するＭＩＤＩメッセージの構成要素となるパラメータを生成する処理を含む。以下、これらの各処理について説明する。
【００２４】
ノートナンバ発生処理２１１では、複数の演奏用キーセンサ２０１から与えられる運指パターンに基づき、ＭＩＤＩ音源２２０に形成させる楽音信号のノートナンバを演算する。また、ノートナンバ発生処理２１１では、Ａ／Ｄ変換器２０２から出力されるリップ圧信号を閾値と比較し、リップ圧信号が閾値を越えた場合に演奏者が下顎を動かしてオクターブ切り換えの指示を行ったとみなし、運指パターンに基づいて決定されるノートナンバを１オクターブ高いノートナンバに切り換える。
【００２５】
音量制御パラメータ発生処理２１２は、Ａ／Ｄ変換器２０２から与えられるリップ圧信号およびＡ／Ｄ変換器２０３から与えられる呼気流量信号に基づき、音量制御パラメータであるエクスプレッション値またはブレスコントロール値を決定する処理である。ベロシティ発生処理２１３は、Ａ／Ｄ変換器２０３から与えられる呼気流量信号に基づき、楽音の立ち上がり時の強さを指示するベロシティを決定する処理である。
【００２６】
ピッチベンド制御処理２１４は、運指パターン、Ａ／Ｄ変換器２０３から与えられる呼気流量信号、Ａ／Ｄ変換器２０４から与えられる対上唇間距離信号に基づき、ピッチベンド値ＰＢを決定する処理である。具体的には、対上唇間距離信号が示す演奏者の上唇から上唇近接センサ１１１までの距離が短くなったとき、その程度に応じてピッチをダウンさせるピッチベンド値ＰＢを発生する。
【００２７】
ＭＩＤＩメッセージ組立処理２１５は、以上説明した各処理により発生されるパラメータを用いてＭＩＤＩメッセージを組み立て、ＭＩＤＩ音源２２０に送信する処理である。さらに詳述すると、ＭＩＤＩメッセージ組立処理２１５は、Ａ／Ｄ変換器２０３から出力される呼気流量信号の値が閾値を越え、ノートオンの条件が満たされると、その時点においてノートナンバ発生処理２１１から与えられるノートナンバと、ベロシティ発生処理２１３から与えられるベロシティ値とを用いて、ノートオンメッセージを組み立て、ＭＩＤＩ音源２２０に送信する。
【００２８】
ノートオンは、呼気流量信号の値が閾値よりも高く、運指パターンが同一パターンを維持する期間持続する。このノートオン期間中、ＭＩＤＩメッセージ組立処理２１５では、音量制御パラメータ発生処理２１２から与えられるエクスプレッション値またはブレスコントロール値を用いて、コントロールチェンジメッセージを組み立ててＭＩＤＩ音源２２０に送信し、ピッチベンド制御処理２１４から与えられるピッチベンド値ＰＢを用いて、ピッチベンドメッセージを組み立てＭＩＤＩ音源２２０に送信する。ここで、演奏者が下顎を微妙に動かしてオクターブ切り換えの指示を行った場合、ノートナンバ発生処理２１１では、リップ圧信号に基づいてこのオクターブ切り換えの指示が検知され、この指示に従ってノートナンバの切り換えが行われる。この場合には、ＭＩＤＩメッセージ組み立て処理２１５では、切り換え後の新たなノートナンバへの変更を指示するＭＩＤＩメッセージを組み立ててＭＩＤＩ音源２２０に送る。そして、呼気流量信号の値が閾値を下回り、あるいは運指パターンが変化した場合、ＭＩＤＩメッセージ組立処理２１５は、ノートオン中である楽音信号を終了させるノートオフメッセージをＭＩＤＩ音源２２０に送るのである。
【００２９】
ＭＩＤＩ音源２２０は、以上のようにして制御部２１０から送信されるＭＩＤＩメッセージに従い、デジタル形式の楽音信号を形成する装置である。サウンドシステム２３０は、ＭＩＤＩ音源２２０から出力される楽音信号をアナログ楽音信号に変換するＤ／Ａ変換器と、このアナログ楽音信号を増幅するアンプと、このアンプにより駆動されるスピーカにより構成されている（図示略）。
以上が本実施形態による電子フルートの詳細である。
【００３０】
本実施形態によれば、演奏者は、リッププレート上部１７０側からの反発力（すなわち、永久磁石３０１および３０２による付勢力）を感じつつ、ある限度を越えてリッププレート上部１７０を感圧抵抗１６２側に押し込んだとき、押圧部１７４が感圧抵抗１６２と接触し、リップ圧センサ１６２Ｓの出力電圧が０Ｖから上昇し、この出力電圧が閾値を越えたときにオクターブ切り換えが行われる。従って、演奏者は、下顎をどの程度動かせばオクターブ切り換えが行われるかを容易に把握することができ、下顎を動かすことによるオクターブ切り換えの指示操作を容易に行うことができる。また、本実施形態において、演奏者は、ピッチベンドダウンを行おうとするとき、上唇を上唇近接センサ１１１に近づける。このとき、演奏者の下唇付近の部分がリッププレート上部１７０を押す可能性があるが、そのような場合でも、本実施形態では、押圧部１７４は感圧抵抗１６２から離れており、リッププレート上部１７０は感圧抵抗１６２から離れる方向に付勢されているため、演奏者の意図に反してリップ圧センサ１６２Ｓが作動してオクターブ切り換えが行われる不具合を防止することができる。
【００３１】
以上説明した実施形態では、付勢手段として互いに反発し合う永久磁石３０１および３０２をリッププレート上部１７０および軸受けベース１６０間に設けたが、付勢手段の構成はこれに限定されるものではない。図５（ａ）〜（ｃ）は、付勢手段の他の例を示す図である。図５（ａ）に示す下顎動作検出装置１５０Ａではコイルバネ３０３が、図５（ｂ）に示す下顎動作検出装置１５０Ｂでは板バネ３０４が、図５（ｃ）に示す下顎動作検出装置１５０Ｃでは発泡ゴム３０５が、付勢手段としてリッププレート上部１７０および軸受けベース１６０間に設けられている。ここで、押圧部１７４が感圧抵抗１６２から離れている状態におけるリッププレート上部１７０に与えられる圧力とリッププレート上部１７０の変位との関係と、押圧部１７４が感圧抵抗１６２から接触している状態におけるリッププレート上部１７０に与えられる圧力とリップ圧センサ１６２Ｓの出力電圧との関係は、リッププレート上部１７０および軸受けベース１６０間に介挿された付勢手段の弾性特性により定まる。従って、付勢手段として如何なる部材を用いるかは、どの程度の圧力がリッププレート上部１７０に加わったときに押圧部１７４を感圧抵抗１６２に接触させるかに基づいて、適切な弾性特性を持った部材を選択すればよい。また、上記実施形態において、リップ圧信号を２値化してオクターブ切り換えの制御に用いるだけでなく、２値化前のリップ圧信号を音色制御に用いるような態様も考えられる。このような態様では、リッププレート上部１７０への圧力の変化と音色の変化との関係についての目標特性に基づいて、適切な弾性特性を持った部材を選択すればよい。
【００３２】
＜第２実施形態＞
図６はこの発明の第２実施形態である下顎動作検出装置１５０Ｄの構成を示す断面図である。上記第１実施形態では、リッププレート上部１７０を軸受けベース１６０から引き離す方向に付勢する付勢手段として、リッププレート上部１７０および軸受けベース１６０間の距離が縮まろうとするのに反発する部材を設けた。これに対し、本実施形態では、リッププレート上部１７０を軸受けベース１６０から引き離す方向に付勢する付勢手段として、リッププレート上部１７０をリッププレート下部１８０側に引き付ける力を発生する部材を設ける。具体的には、本実施形態では、リッププレート上部１７０およびリッププレート下部１８０の互いに向き合った各面に、永久磁石３１１および３１２を各々固定する。ここで、永久磁石３１１と永久磁石３１２は、各々のＮ極とＳ極または各々のＳ極とＮ極を突き合わせている。
【００３３】
図７（ａ）における実線のグラフは、リッププレート上部１７０に対する圧力を増加させて、押圧部１７４が感圧抵抗１６２と接触していない状態から接触した状態に移行させる場合におけるリッププレート上部１７０に対する圧力とリップ圧センサ１６２Ｓの出力電圧との関係を示す図である。また、図７（ｂ）における実線のグラフはリッププレート上部１７０に対する圧力を減らし、押圧部１７４が感圧抵抗１６２と接触した状態から接触していない状態に移行させる場合におけるリッププレート上部１７０に対する圧力とリップ圧センサ１６２Ｓの出力電圧との関係を示す図である。なお、図７（ａ）および（ｂ）の各特性間の関係の理解を容易にするため、図７（ａ）には図７（ｂ）における実線のグラフが粗めの破線で示されており、図７（ｂ）には図７（ａ）における実線のグラフが粗めの破線で示されている。また、図７（ａ）および（ｂ）には、仮に付勢手段たる永久磁石３１１および３１２を設けず、押圧部１７４を感圧抵抗１６２に常時接触させる構成とした場合におけるリッププレート上部１７０への圧力とリップ圧センサ１６２Ｓの出力電圧との関係を示すグラフが細かめの破線により示されている。後に他の実施形態において参照する図１０（ａ）および（ｂ）、図１３（ａ）および（ｂ）、図１５（ａ）および（ｂ）においても同様な方法による図示がなされている。
【００３４】
永久磁石３１１および３１２間の吸着力は、リッププレート上部１７０がリッププレート下部１８０から離れておらず、永久磁石３１１および３１２が接触しているときに最大となる。従って、リッププレート上部１７０に与えられる圧力を０Ｐａから増加させた場合において、その圧力がこの最大の吸着力に満たない期間には、リッププレート上部１７０がリッププレート下部１８０側に止まり、図７（ａ）に示すように、リップ圧センサ１６２Ｓの出力電圧は０Ｖとなる。
【００３５】
リッププレート上部１７０に対する圧力が、接触した状態の永久磁石３１１および３１２間の吸着力を越えると、永久磁石３１１が永久磁石３１２から離れ、リッププレート上部１７０は、与えられる圧力に応じて感圧抵抗１６２側に移動する。この間、永久磁石３１１および３１２間の吸着力は、リッププレート上部１７０が感圧抵抗１６２側へ移動して、永久磁石３１１および３１２間の距離が長くなるのに従って弱くなる。そして、リッププレート上部１７０に対する圧力がある限度を越えると、リッププレート上部１７０の押圧部１７４が感圧抵抗１６２に接触し始める（より具体的には点接触または線接触から面接触に移行し、接触面積を増加させる）。これによりリッププレート上部１７０に与えられる圧力が押圧部１７４を介して感圧抵抗１６２に伝わるようになり、図７（ａ）に示すように、リップ圧センサ１６２Ｓの出力電圧が立ち上がる。
【００３６】
押圧部１７４が感圧抵抗１６２に完全に接触した状態では、永久磁石３１１および３１２間の吸着力は弱くなっている。このため、リッププレート上部１７０に与えられる圧力の殆どが押圧部１７４を介して感圧抵抗１６２に伝達され、リップ圧センサ１６２Ｓの出力電圧はリッププレート上部１７０に対する圧力の増加に対して直線的に増加する。
【００３７】
そして、押圧部１７４が感圧抵抗１６２に完全に接触した状態では永久磁石３１１および３１２間の吸着力が極めて弱いため、リッププレート上部１７０に対する圧力を減少させる過程では、前述したリッププレート上部１７０に対する圧力を増加させる過程においてリップ圧センサ１６２Ｓの出力電圧が立ち上がったときの圧力よりも、リッププレート上部１７０に対する圧力を減少させないと、押圧部１７４が感圧抵抗１６２から離れ始めない。このため、リッププレート上部１７０に対する圧力を減少させる場合には、図７（ｂ）に示すように、前述したリッププレート上部１７０に対する圧力を増加させる過程においてリップ圧センサ１６２Ｓの出力電圧が立ち上がったときの圧力よりも低い圧力において、リップ圧センサ１６２Ｓの出力電圧が立ち下がる。
以上が本実施形態における下顎動作検出装置１５０Ｄの動作である。
【００３８】
本実施形態によれば、リッププレート上部１７０がリッププレート下部１８０側に止まっており、永久磁石３１１および３１２が接触した状態において永久磁石３１１および３１２の吸着力は最大となる。そして、本実施形態では、この最大の吸着力で吸着し合っている永久磁石３１１および３１２を引き離すのに要する圧力が大きく、リッププレート上部１７０の動作を開始させるためにリッププレート上部１７０に与えることが必要な圧力が大きいので、演奏者の下顎の微妙な動きにより演奏者の意図に反してリップ圧センサ１６２Ｓが作動してオクターブ切り換えが行われる不具合を、上記第１実施形態よりも効果的に防止することができる。また、本実施形態では、図７（ａ）および（ｂ）に示すように、リッププレート上部１７０への圧力の増減に対するリップ圧センサ１６２Ｓの出力電圧の変化がヒステリシス特性を呈する。従って、リップ圧センサ１６２Ｓの出力電圧に対応したリップ圧信号を閾値により２値化してオクターブ切り換えの制御に用いる場合において、リップ圧信号が閾値を越えてオクターブ切り換えの指示が発生された後は、リップ圧信号が多少変動しても、発生されたオクターブ切り換えの指示が解除されることはない。すなわち、本実施形態によれば、オクターブ切り換えの動作を安定させることができる。
【００３９】
本実施形態には、図８（ａ）および（ｂ）に示す変形例が考えられる。この変形例における下顎動作検出装置１５０Ｅには、図８（ａ）に示すように、上記実施形態におけるものと同様な永久磁石３１１および３１２が設けられるとともに、永久磁石３１２の位置を調整するための位置調整機構３２０がリッププレート下部１８０に設けられている。図８（ｂ）はこの位置調整機構３２０の詳細を示す拡大断面図である。
【００４０】
この位置調整機構３２０において、リッププレート下部１８０に設けられた空洞３２１は、リッププレート上部１７０側が開口しており、この開口部を介して永久磁石３１２を永久磁石３１１と対面させた状態で永久磁石３１２を収容している。この空洞３２１において、リッププレート上部１７０と反対側は、壁３２２が設けられている。ボルト３２３は、リッププレート下部１８０の外側からこの壁３２２に設けられた雌ネジ孔に螺着され、壁３２２を貫通している。永久磁石３１２には、永久磁石３１１とは反対側にボルト連結部３２４が固定されている。空洞３２１内において、ボルト３２３の先端部はボルト連結部３２４に回動自在に連結されている。
【００４１】
この構成において、ボルト３２３を右回転させると、ボルト３２３の先端が進み、永久磁石３１２を永久磁石３１１に近づける。逆にボルト３２３を左回転させると、ボルト３２３の先端が後退し、永久磁石３１２を永久磁石３１１から離す。
【００４２】
この態様によれば、永久磁石３１１および３１２間の距離を調整することができるため、リッププレート上部１７０の動作を開始させるためにリッププレート上部１７０に与えることが必要な圧力の大きさを調整することができる。
【００４３】
＜第３実施形態＞
図９（ａ）および（ｂ）はこの発明の第３実施形態である下顎動作検出装置１５０Ｆの構成を示す断面図である。この下顎動作検出装置１５０Ｆでは、内側に空洞を持ち、小径の円筒と大径の円筒とを連結したような外形の弾性部材４０１が用いられており、この弾性部材４０１は大径の円筒部分がリッププレート上部１７０に固定され、小径の円筒部分を感圧抵抗１６２に接触させている。本実施形態において、弾性部材４０１は、リッププレート上部１７０を感圧抵抗１６２から引き離す方向に付勢する付勢手段としての役割を果たすとともに、リッププレート上部１７０への圧力を感圧抵抗１６２に伝える圧力伝達手段としての役割を果たす。また、弾性部材４０１は、リッププレート上部１７０を介して与えられる圧力に応じて変形し、その圧力を吸収し、変形が限度に達した場合にはリッププレート上部１７０への圧力の大部分を感圧抵抗に伝える非線形な弾性特性を持っている。さらに弾性部材４０１に与える圧力の変形の程度との関係は、圧力を増加させたときと減少させたときとで同じではなく、ヒステリシス特性を呈する。図９（ａ）にはリッププレート上部１７０が回動しておらず、弾性部材４０１が変形していない状態が示されている。また、図９（ｂ）には、リッププレート上部１７０が回動して弾性部材４０１が変形し、その変形が限度に至った状態が示されている。
【００４４】
図１０（ａ）における実線のグラフは、本実施形態においてリッププレート上部１７０への圧力を増加させた場合におけるリッププレート上部１７０に対する圧力とリップ圧センサ１６２Ｓの出力電圧との関係を示す図、図１０（ｂ）における実線のグラフは、リッププレート上部１７０に対する圧力を減少させた場合におけるリッププレート上部１７０に対する圧力とリップ圧センサ１６２Ｓの出力電圧との関係を示す図である。
【００４５】
図１０（ａ）に示すように、リッププレート上部１７０への圧力を増加させる場合、圧力がある限度を越えるまでは、弾性部材４０１が変形しつつ圧力を吸収するため、感圧抵抗１６２に伝わる圧力は僅かであり、リップ圧センサ１６２Ｓの出力電圧はほぼ０Ｖである。そして、リッププレート上部１７０への圧力がある限度を越えると、弾性部材４０１は変形の限度に達する。このため、リッププレート上部１７０への圧力と弾性部材４０１が元の形状に戻ろうとする復元力が感圧抵抗１６２に伝達され、リップ圧センサ１６２Ｓの出力電圧が立ち上がる。さらにリッププレート上部１７０への圧力を増加させると、それに合わせてリップ圧センサ１６２Ｓの出力電圧は上昇してゆく。リッププレート上部１７０への圧力を減少させると、弾性部材４０１はリッププレート上部１７０を感圧抵抗１６２から遠ざけて元の形状に復元しようとする。しかし、変形した状態の弾性部材４０１が元に戻ろうとする力は弱い。このため、リッププレート上部１７０に対する圧力を減少させる場合には、図１０（ｂ）に示すように、前述したリッププレート上部１７０に対する圧力を増加させる過程においてリップ圧センサ１６２Ｓの出力電圧が立ち上がったときの圧力よりも低い圧力において、リップ圧センサ１６２Ｓの出力電圧が立ち下がる。
【００４６】
本実施形態によれば、リッププレート上部１７０への圧力がある限度を越えたときに、リップ圧センサ１６２Ｓが作動してオクターブ切り換えが行われるため、微妙な下顎の動きにより意図せずリップ圧センサ１６２Ｓが作動してオクターブ切り換えが行われる不具合を防止することができる。また、本実施形態では、図１０（ａ）および（ｂ）に示すように、リッププレート上部１７０への圧力の増減に対するリップ圧センサ１６２Ｓの出力電圧の変化がヒステリシス特性を呈する。従って、上記第２実施形態と同様、オクターブ切り換えの動作を安定させることができる。
【００４７】
＜第４実施形態＞
図１１はこの発明の第４実施形態である下顎動作検出装置１５０Ｇの構成を示す断面図である。この下顎動作検出装置１５０Ｇでは、タクトスイッチ４０２が用いられており、このタクトスイッチ４０２は台部がリッププレート上部１７０に固定され、この台部から突出した棒部の先端を感圧抵抗１６２に接触させている。本実施形態において、タクトスイッチ４０２は、リッププレート上部１７０を感圧抵抗１６２から引き離す方向に付勢する付勢手段としての役割を果たすとともに、リッププレート上部１７０への圧力を感圧抵抗１６２に伝える圧力伝達手段としての役割を果たす。また、タクトスイッチ４０２は、リッププレート上部１７０側からの圧力が閾値を越えた場合にＯＦＦからＯＮに切り換わるスイッチであって、ＯＦＦからＯＮに切り換わるときにリッププレート上部１７０を介して演奏者にクリック感を与える役割を果たす。
【００４８】
図１２は、本実施形態におけるリップ圧センサ１６２Ｓの電気的構成を示す回路図である。このリップ圧センサ１６２Ｓにおいて、電源Ｖｃｃおよび接地間には、感圧抵抗１６２および抵抗値が固定である抵抗１６４が直列に挿入されている。また、感圧抵抗１６２および抵抗１６４の接続点と電源Ｖｃｃとの間にはタクトスイッチ４０２が介挿されている。そして、感圧抵抗１６２および抵抗１６４の接続点の電圧がリップ圧センサ１６２Ｓの出力信号として図４のＡ／Ｄ変換器２０２に供給される。
【００４９】
図１３（ａ）における実線のグラフは、本実施形態においてリッププレート上部１７０への圧力を増加させた場合におけるリッププレート上部１７０に対する圧力とリップ圧センサ１６２Ｓの出力電圧との関係を示す図、図１３（ｂ）における実線のグラフは、リッププレート上部１７０に対する圧力を減少させた場合におけるリッププレート上部１７０に対する圧力とリップ圧センサ１６２Ｓの出力電圧との関係を示す図である。
【００５０】
リッププレート上部１７０への圧力を０Ｐａから増加させた場合、リッププレート上部１７０への圧力がＯＦＦ状態のタクトスイッチ４０２を介して感圧抵抗１６２に伝達される。従って、図１３（ａ）に示すように、リッププレート上部１７０への圧力の増加に応じて感圧抵抗１６２の抵抗値が低下し、リップ圧センサ１６２Ｓの出力電圧が増加する。
【００５１】
リッププレート上部１７０に対する圧力が、タクトスイッチ４０２がＯＦＦからＯＮへ切り換わる圧力の閾値ｔｈ１に近づくと、感圧抵抗１６２の抵抗値が非線形に変化する。そして、リッププレート上部１７０への圧力が閾値ｔｈ１を越えると、タクトスイッチ４０２がＯＮに切り換わる。このため、リッププレート上部１７０への圧力が閾値ｔｈ１を越えて増加するとき、リップ圧センサ１６２Ｓの出力電圧は、図１３（ａ）に示すように非線形に変化した後、電源Ｖｃｃのレベルに急激に立ち上がる。
【００５２】
タクトスイッチ４０２がＯＮからＯＦＦへ切り換わる圧力の閾値ｔｈ２は、閾値ｔｈ１よりも低い。タクトスイッチ４０２がＯＮである状態において、リッププレート上部１７０への圧力を減少させ、圧力が閾値ｔｈ２より低くなると、タクトスイッチ４０２はＯＦＦ状態となる。そして、感圧抵抗１６２の抵抗値は、タクトスイッチ４０２がＯＮからＯＦＦになるとき、非線形に変化する。このため、リッププレート上部１７０への圧力が閾値ｔｈ２を越えて減少するとき、リップ圧センサ１６２Ｓの出力電圧は、図示のように急激に立ち下がった後、非線形に変化し、その後、直線的に減少してゆく。
【００５３】
好ましい態様では、リッププレート上部１７０への圧力が閾値ｔｈ１を越え、リップ圧センサ１６２Ｓの出力電圧が電源Ｖｃｃのレベルに急激に立ち上がるときの立ち上がり前後の両電圧の中間の基準レベルＶｒｅｆが予め求められる。そして、制御部２１０によるノートナンバ発生処理２１１（図４参照）では、リップ圧信号が示す電圧がこの基準レベルＶｒｅｆを越えたか否かによりオクターブ切り換えを行うか否かが判断される。
【００５４】
この態様によれば、タクトスイッチ４０２がＯＦＦの状態では、リッププレート上部１７０への圧力を増加させてもオクターブ切り換えの指示が発生せず、タクトスイッチ４０２がＯＮに切り換わり、その際のクリック感を演奏者が感じ取るときにオクターブ切り換えの指示が発生する。従って、演奏者は、オクターブ切り換えの指示が発生するのをクリック感として体感しつつ演奏を行うことができる。
【００５５】
図１４は本実施形態におけるリップ圧センサ１６２Ｓの変形例の電気的構成を示す回路図である。この変形例では、スライドスイッチ４０３が感圧抵抗１６２と抵抗１６４との間に介挿されている。このスライドスイッチ４０３は、接点４０３ａ、４０３ｂおよび４０３ｃを有しており、接点４０３ｂは感圧抵抗１６２に、接点４０３ｃは抵抗１６４に接続されている。そして、スライドスイッチ４０３は、第１の状態および第２の状態を有しており、スライド操作により、第１の状態から第２の状態へ、あるいは第２の状態から第１の状態へ切り換えることができる。ここで、第１の状態では、図１４に示すように接点４０３ａおよび４０３ｂ間が開放状態、接点４０３ｂおよび４０３ｃ間が短絡状態となる。また、第２の状態では、接点４０３ａおよび４０３ｂ間が短絡状態、接点４０３ｂおよび４０３ｃ間が開放状態となる。
【００５６】
第１の状態では、感圧抵抗１６２が抵抗１６４に接続されるため、リップ圧センサ１６２Ｓの回路構成は前掲図１２のものと同様になる。このため、リッププレート上部１７０への圧力を増減したときのリップ圧センサ１６２Ｓの出力電圧の変化は、前掲図１３（ａ）および（ｂ）のものと同様になる。一方、第２の状態では、感圧抵抗１６２が抵抗１６４から切り離される。図１５（ａ）における実線グラフは、この第２の状態において、リッププレート上部１７０への圧力を増加させた場合におけるリッププレート上部１７０に対する圧力とリップ圧センサ１６２Ｓの出力電圧との関係を示す図、図１５（ｂ）における実線のグラフは、リッププレート上部１７０に対する圧力を減少させた場合におけるリッププレート上部１７０に対する圧力とリップ圧センサ１６２Ｓの出力電圧との関係を示す図である。図１５（ａ）に示すように、リッププレート上部１７０に対する圧力が増加するときは、リップ圧センサ１６２Ｓの出力電圧は、圧力が閾値ｔｈ１よりも低く、タクトスイッチ４０２がＯＦＦであるときは０Ｖ、圧力が閾値ｔｈ１を越え、タクトスイッチ４０２がＯＮであるときは電源Ｖｃｃのレベルとなる。また、図１５（ｂ）に示すように、リッププレート上部１７０に対する圧力が減少するときは、リップ圧センサ１６２Ｓの出力電圧は、圧力が閾値ｔｈ２よりも高く、タクトスイッチ４０２がＯＮであるときは電源Ｖｃｃのレベル、圧力が閾値ｔｈ２を下回り、タクトスイッチ４０２がＯＦＦであるときは０Ｖとなる。
【００５７】
このように第２の状態では、リップ圧センサ１６２Ｓの出力電圧値に感圧抵抗１６２の抵抗値の変化が現れず、０Ｖ、Ｖｃｃの２値しか取らない。従って、この第２の状態は、リップ圧信号を連続的な音色の制御等に用いるのには不向きである。しかし、リップ圧信号を２値的なオクターブ切り換えに用いるのであれば、雑音に強く、安定した動作が得られるという点において有利である。
【００５８】
＜第５実施形態＞
図１６はこの発明の第５実施形態である下顎動作検出装置１５０Ｈの構成を示す断面図である。この下顎動作検出装置１５０Ｈは、感圧抵抗１６２を有しておらず、タクトスイッチ４０２がリッププレート上部１７０と軸受けベース１６０との間に介挿されており、リッププレート上部１７０への圧力に応じてタクトスイッチ４０２のＯＮ／ＯＦＦ切り換えが行われるようになっている。また、本実施形態では、タクトスイッチ４０２および抵抗値が固定の抵抗を電源Ｖｃｃおよび接地間に直列に介挿した回路構成のリップ圧センサ１６２Ｓが用いられ、抵抗の両端の電圧がリップ圧センサ１６２Ｓの出力電圧とされる（図示略）。なお、図１６に示す例では、タクトスイッチ４０２の台部が軸受けベース１６０に固定され、棒部の先端がリッププレート上部１７０に接触させているが、台部をリッププレート上部１７０に固定し、棒部の先端を軸受けベース１６０に接触させてもよい。
【００５９】
本実施形態において、リッププレート上部１７０への圧力を増加および減少させた各場合におけるリップ圧センサ１６２Ｓの出力電圧の変化は、前掲図１５（ａ）および（ｂ）に示したものと同様なものとなる。
【００６０】
本実施形態においても、演奏者は、オクターブ切り換えの指示が発生するのをクリック感として体感しつつ演奏を行うことができる。また、本実施形態では、上記第４実施形態の変形例と同様、リップ圧センサ１６２Ｓの出力電圧は、感圧抵抗１６２の抵抗値の変化が現れず、０Ｖ、Ｖｃｃの２値しか取らない。従って、本実施形態は、リップ圧信号を２値的なオクターブ切り換えに用いる場合において、雑音に強く、安定した動作が得られるという利点がある。
【００６１】
なお、上述した第４実施形態および本実施形態では、クリック感を持ったスイッチとして、台部と棒部を持ったタクトスイッチをリッププレート上部１７０および軸受けベース１６０間に設けたが、他の構成のスイッチを設けてもよい。
【００６２】
図１７（ａ）および（ｂ）は、クリック感を持ったスイッチの他の構成例を示すものである。図１７（ａ）に示すように、このスイッチは、ゴム等の弾性材を成形した中空のドーム部４０４と、このドーム部４０４の内部において、天井部分に固定された接点４０５ａと、底部分に固定された接点４０５ｂとにより構成されている。そして、スイッチは、例えばドーム部４０４の底部分が例えば軸受けベース１６０（感圧抵抗１６２でもよい）に固定され、天井部分をリッププレート上部１７０に接触させた状態とされる。
【００６３】
リッププレート上部１７０への圧力がない状態では、このスイッチのドーム部４０４は図１７（ａ）に示すようにドーム形状をなしている。そして、リッププレート上部１７０に圧力が加えられると、スイッチのドーム部４０４は弾性変形して天井部分を下げる。そして、リッププレート上部１７０への圧力がある閾値を越えると、図１７（ｂ）に示すように、ドーム部４０４の天井部分が底部に向けて落下し、接点４０５ａおよび４０５ｂが接触し、スイッチがＯＮとなる。
【００６４】
リッププレート上部１７０への圧力を減らしてゆくと、天井部分が底部に向けて落下したときの閾値よりも低い閾値まで圧力が減ったとき、天井部分が元の位置に復帰し、スイッチがＯＦＦに戻る。このようなスイッチを用いた場合でも、上記第４および第５実施形態と同様な効果が得られる。
【００６５】
＜第６実施形態＞
図１８はこの発明の第６実施形態である下顎動作検出装置１５０Ｉの構成を示す断面図である。本実施形態は、上記第１および第２実施形態において、リッププレート上部１７０を感圧抵抗１６２から引き離す方向に付勢する付勢手段として、モータ５０１と、モータ制御装置５０２と、ギア列５０３とを用いたものである。この構成において、モータ５０１が発生するトルクは、ギア列５０３を介して、リッププレート上部１７０の回動軸１７３に伝達され、感圧抵抗１６２から引き離す方向の付勢力（図示の例では、時計廻りの方向のトルク）がリッププレート上部１７０に与えられるようになっている。モータ制御装置５０２は、ギア列５０３を介して回動軸１７３に連結されたモータ５０１の回動軸の角度を検出し、この角度からリッププレート上部１７０の移動量を検出する。そして、モータ制御装置５０２は、演奏者の下唇付近の部分に押されてリッププレート上部１７０が感圧抵抗１６２側に移動するとき、その移動量に応じた適切な付勢力がリッププレート上部１７０に与えられるようにモータ５０１が発生するトルクを制御する。
【００６６】
本実施形態においても、上記各実施形態と同様、演奏者の下顎の微妙な動きにより、演奏者の意図に反してオクターブ切り換えの指示が発生されるのを防止することができるという効果が得られる。また、本実施形態は、モータ制御装置５０２が行うトルク制御の内容を適切に定めることにより、リッププレート上部１７０の移動量とリッププレート上部１７０に与える付勢力との関係を柔軟に調整することができるという利点がある。
【００６７】
＜第７実施形態＞
図１９（ａ）は、この発明の第７実施形態である下顎動作検出装置１５０Ｊの断面図、図１９（ｂ）は図１０（ａ）のリッププレート上部１７０およびリッププレート下部１８０を軸受けベース１６０側から見た図である。
【００６８】
これまでに挙げた各実施形態では、リッププレート上部１７０は回動自在にリッププレート下部１８０および軸受けベース１６０間に支持されていた。これに対し、本実施形態では、リッププレート上部１７０は、リッププレート下部１８０に摺動自在に支持されている。
【００６９】
さらに詳述すると、本実施形態では、図示のように、リッププレート上部１７０にレール１７６が設けられ、リッププレート下部１８０にはレール１７６を案内するガイド溝１８６が設けられている。そして、リッププレート上部１７０は、レール１７６をリッププレート下部１８０のガイド溝１８６に収容させ、リップ当接面１７１Ｓと反対側の面の押圧部１７４を感圧抵抗１６２に対向させた状態で、リッププレート下部１８０に摺動自在に支持されている。そして、リッププレート上部１７０と軸受けベース１６０との間には、上記第１実施形態と同様、リッププレート上部１７０を感圧抵抗１６２から引き離す方向に付勢するコイルバネ３０３ａおよび３０３ｂが介挿されている。
本実施形態においても上記第１実施形態と同様な効果が得られる。
【００７０】
なお、図１９（ａ）および（ｂ）では、摺動自在な関係にあるリッププレート上部１７０およびリッププレート下部１８０を持った構成に上記第１実施形態を適用したが、上記第３〜第５実施形態を適用してもよい。
【００７１】
＜他の実施形態＞
以上、この発明の各実施形態を説明したが、この発明には他にも実施形態があり得る。例えば次の通りである。
【００７２】
（１）上記各実施形態では、リッププレート上部１７０において演奏者の下唇付近の部分と接触するリップ当接面１７１Ｓの表面形状は、外側に膨らんだ緩やかな曲面形状とした。しかし、緩やかな曲面に局所的に出っ張った部分を設けてもよい。あるいは、リップ当接面１７１Ｓの表面形状を曲面とせず、平面にしてもよい。
【００７３】
（２）上記実施形態では、リッププレート下部１８０および軸受けベース１６０の両方にリッププレート上部１７１の回動軸１７３を収容する凹部を設けたが、いずれか一方のみに凹部を設けてもよい。
【００７４】
（３）上記実施形態において、制御部２１０のノートナンバ発生処理２１１では、リップ圧信号を１種類の閾値と比較したが、大きさの異なった複数の閾値と比較し、比較結果に基づき、放音する楽音のノートナンバを運指パターンにより決定されるノードナンバから何オクターブだけシフトするかを決定するようにしてもよい。すなわち、例えば２種類の閾値Ｖｒｅｆ０、Ｖｒｅｆ１（＞Ｖｒｅｆ０）を用意し、リップ圧信号の値ＰｌｉｐがＰｌｉｐ≦Ｖｒｅｆ０の範囲内であるときはオクターブ切り換えを行わず、Ｖｒｅｆ０＜Ｐｌｉｐ≦Ｖｒｅｆ１の範囲内であるときは１オクターブだけノートナンバをシフトし、Ｖｒｅｆ１＜Ｐｌｉｐの範囲内であるときは２オクターブだけノートナンバをシフトする、といった制御の態様が考えられる。また、この場合において、リップ圧センサ１６２Ｓの特性に、例えば図７（ａ）および（ｂ）、図１０（ａ）および（ｂ）に示すように、リップ圧センサ１６２Ｓの出力電圧が急激に立ち上がる区間と、リッププレート上部１７０への圧力に対してほぼ直線的に変化する区間とがある場合、前者の区間においてリップ圧センサ１６２Ｓの出力電圧の立ち上がり前後の値の中間レベルをＶｒｅｆ０とし、後者の区間に属するリップ圧センサ１６２Ｓの出力電圧の範囲の中からＶｒｅｆ１を選択してもよい。
【図面の簡単な説明】
【００７５】
【図１】この発明の第１実施形態である下顎動作検出装置１５０を含む電子フルートの吹奏ユニット１００の構成を示す斜視図である。
【図２】同吹奏ユニット１００を側方から見た図であって、同下顎動作検出装置１５０のＩ−Ｉ’線断面構造を示す図である。
【図３】同実施形態におけるリッププレート上部１７０への圧力とリップ圧センサ１６２Ｓの出力電圧との関係を示す図である。
【図４】同実施形態における電子フルートの電気的構成を示すブロック図である。
【図５】同実施形態における下顎動作検出装置１５０の諸態様を示す断面図である。
【図６】この発明の第２実施形態である下顎動作検出装置１５０Ｄの構成を示す断面図である。
【図７】同実施形態におけるリッププレート上部１７０への圧力とリップ圧センサ１６２Ｓの出力電圧との関係を示す図である
【図８】同実施形態の変形例である下顎動作検出装置１５０Ｅの構成を示す断面図である。
【図９】この発明の第３実施形態である下顎動作検出装置１５０Ｆの構成を示す断面図である。
【図１０】同実施形態におけるリッププレート上部１７０への圧力とリップ圧センサ１６２Ｓの出力電圧との関係を示す図である。
【図１１】この発明の第４実施形態である下顎動作検出装置１５０Ｇの構成を示す断面図である。
【図１２】同実施形態におけるリップ圧センサ１６２Ｓの電気的構成を示す回路図である。
【図１３】同実施形態におけるリッププレート上部１７０への圧力とリップ圧センサ１６２Ｓの出力電圧との関係を示す図である。
【図１４】同リップ圧センサ１６２Ｓの変形例の電気的構成を示す回路図である。
【図１５】同変形例におけるリッププレート上部１７０への圧力とリップ圧センサ１６２Ｓの出力電圧との関係を示す図である。
【図１６】この発明の第５実施形態である下顎動作検出装置１５０Ｈの構成を示す断面図である。
【図１７】クリック感のあるスイッチの構成例を示す断面図である。
【図１８】この発明の第６実施形態である下顎動作検出装置１５０Ｉの構成を示す断面図である。
【図１９】この発明の第７実施形態である下顎動作検出装置１５０Ｊの構成を示す図である。
【符号の説明】
【００７６】
１……頭管、１００……吹奏ユニット、１５０，１５０Ａ〜１５０Ｊ……下顎動作検出装置、１６０……軸受けベース、１６２……感圧抵抗、１６３……凹部、１７０……リッププレート上部、１７１……リップ当接部、１７３……回動軸、１７４……押圧部、１８０……リッププレート下部、１８１……凹部、１６２Ｓ……リップ圧センサ、４０１……弾性部材、４０２……タクトスイッチ、４０４……ドーム部、４０５ａ，４０５ｂ……接点、５０１……モータ、５０２……モータ制御装置、５０３……ギア列。
【図１】
0005104055.tif 000002
【図２】
0005104055.tif 000003
【図３】
0005104055.tif 000004
【図４】
0005104055.tif 000005
【図５】
0005104055.tif 000006
【図６】
0005104055.tif 000007
【図７】
0005104055.tif 000008
【図８】
0005104055.tif 000009
【図９】
0005104055.tif 000010
【図１０】
0005104055.tif 000011
【図１１】
0005104055.tif 000012
【図１２】
0005104055.tif 000013
【図１３】
0005104055.tif 000014
【図１４】
0005104055.tif 000015
【図１５】
0005104055.tif 000016
【図１６】
0005104055.tif 000017
【図１７】
0005104055.tif 000018
【図１８】
0005104055.tif 000019
【図１９】
0005104055.tif 000020